(57)【要約】【課題】低コストでありながら、内容物を取り出すための穴を簡単な操作で開閉することができる開閉箱及び箱型包装食品を提供する。【解決手段】開閉箱１０１は、個包装食品Ｆを収容するための収容空間Ｓと、収容空間Ｓから個包装食品Ｆを取り出すための穴Ｈと、を有し、穴Ｈが形成された天面板１と、穴Ｈに沿ったスライドにより穴Ｈの開閉を行うフラップ２と、フラップ２の端部と連結するとともにその連結部分Ｌ１での折り曲げが可能となるように形成された側面板３と、側面板３の端部と連結するとともにその連結部分Ｌ２での折り曲げが可能となるように形成された底面板７と、を有する。側面板３に対するフラップ２及び底面板７の各連結状態を変化させながら、フラップ２がスライドすることにより、穴Ｈの開閉を行う。【選択図】図１
2020045142.tif 000002
【特許請求の範囲】
【請求項１】
内容物を収容するための収容空間と、前記収容空間から前記内容物を取り出すための穴と、を有する箱であって、
前記穴に沿ったスライドにより前記穴の開閉を行うフラップを有することを特徴とする開閉箱。
【請求項２】
前記穴が形成された天面板と、前記フラップの端部と連結するとともにその連結部分での折り曲げが可能となるように形成された側面板と、前記側面板の端部と連結するとともにその連結部分での折り曲げが可能となるように形成された底面板と、を有し、
前記側面板に対する前記フラップ及び前記底面板の各連結状態を変化させながら、前記フラップがスライドすることにより、前記穴の開閉を行うことを特徴とする請求項１記載の開閉箱。
【請求項３】
前記穴の開状態において前記天面板を係止するための切り込みが前記フラップに形成されていることを特徴とする請求項２記載の開閉箱。
【請求項４】
前記天面板の係止状態が複数段階に変化するように、前記切り込みが複数形成されていることを特徴とする請求項３記載の開閉箱。
【請求項５】
前記フラップのスライドのためのガイドを構成するスリットが前記天面板に形成されていることを特徴とする請求項２〜４のいずれか１項に記載の開閉箱。
【請求項６】
前記穴の開状態において前記スリットで前記ガイドに係止される係止部が前記フラップに形成されていることを特徴とする請求項５記載の開閉箱。
【請求項７】
前記天面板に切り取り可能な蓋が形成されており、前記蓋の切り取りにより前記穴が形成されることを特徴とする請求項２〜６のいずれか１項に記載の開閉箱。
【請求項８】
１枚のブランク板の折り曲げにより形成されたものであることを特徴とする請求項１〜７のいずれか１項に記載の開閉箱。
【請求項９】
請求項１〜８のいずれか１項に記載の開閉箱の収容空間に、前記内容物として複数の個包装食品が収容されていることを特徴とする箱型包装食品。
【発明の詳細な説明】
【技術分野】
【０００１】
本発明は開閉箱及び箱型包装食品に関するものであり、例えば、厚紙製のブランク板からなる開閉箱と、その開閉箱に複数の個包装食品を収納してなる箱型包装食品に関するものである。
【背景技術】
【０００２】
厚紙製の箱の中に、個包装された食品（例えば、チョコレート菓子，キャンディー等の菓子類）を複数入れておき、上面に形成されている丸い穴から手を入れて、箱内の個包装食品を取り出せるようにした箱型包装食品が従来より知られている。コンビニエンスストア等において商品を棚に並べる作業は煩雑で時間もかかるが、箱型包装食品であれば箱内の個包装食品を整列させる必要がないため、箱を置くだけで済み、人手不足の解消にもなる。また、種類の異なる複数の個包装食品を箱内に入れておけば、内容物への期待が高まるので、くじ引きのような楽しみも得られる。
【０００３】
上記のような箱は様々な用途に用いられている。例えば特許文献１には、合成樹脂製の透明箱内に紙箱を挿入して、その隙間に差し込んだ表記用紙で模様，柄等の外観を変更できる抽選箱が提案されている。
【先行技術文献】
【特許文献】
【０００４】
【特許文献１】実用新案登録第３１９２３８８号公報
【発明の概要】
【発明が解決しようとする課題】
【０００５】
特許文献１に記載の抽選箱では、箱の内容物が三角くじ等の抽選券であるため、手を入れる穴を閉じる必要はない。しかし、くじ引きによっては箱の中が見えないように穴を閉じることも必要になる。その場合、目隠し用の弾性シート（例えば、ゴム，スポンジ等の異材質からなる切り込み付きシート）を穴に貼り付けることによって、中身を見えにくくすることも可能であるが、異材質の追加はコストアップの原因になる。
【０００６】
また、前述の箱型包装食品の場合には、流通等において移動させても個包装食品が箱外へ出てしまわないように、穴を閉じることが必要になる。それには、箱を２重にして穴を覆ったり、シュリンク包装で穴を覆ったりすることが必要になるため、やはりコストアップを招くことになる。
【０００７】
本発明はこのような状況に鑑みてなされたものであって、その目的は、低コストでありながら、内容物を取り出すための穴を簡単な操作で開閉することができる開閉箱及び箱型包装食品を提供することにある。
【課題を解決するための手段】
【０００８】
上記目的を達成するために、第１の発明の開閉箱は、内容物を収容するための収容空間と、前記収容空間から前記内容物を取り出すための穴と、を有する箱であって、
前記穴に沿ったスライドにより前記穴の開閉を行うフラップを有することを特徴とする。
【０００９】
第２の発明の開閉箱は、上記第１の発明において、前記穴が形成された天面板と、前記フラップの端部と連結するとともにその連結部分での折り曲げが可能となるように形成された側面板と、前記側面板の端部と連結するとともにその連結部分での折り曲げが可能となるように形成された底面板と、を有し、
前記側面板に対する前記フラップ及び前記底面板の各連結状態を変化させながら、前記フラップがスライドすることにより、前記穴の開閉を行うことを特徴とする。
【００１０】
第３の発明の開閉箱は、上記第２の発明において、前記穴の開状態において前記天面板を係止するための切り込みが前記フラップに形成されていることを特徴とする。
【００１１】
第４の発明の開閉箱は、上記第３の発明において、前記天面板の係止状態が複数段階に変化するように、前記切り込みが複数形成されていることを特徴とする。
【００１２】
第５の発明の開閉箱は、上記第２〜第４のいずれか１つの発明において、前記フラップのスライドのためのガイドを構成するスリットが前記天面板に形成されていることを特徴とする。
【００１３】
第６の発明の開閉箱は、上記第５の発明において、前記穴の開状態において前記スリットで前記ガイドに係止される係止部が前記フラップに形成されていることを特徴とする。
【００１４】
第７の発明の開閉箱は、上記第２〜第６のいずれか１つの発明において、前記天面板に切り取り可能な蓋が形成されており、前記蓋の切り取りにより前記穴が形成されることを特徴とする。
【００１５】
第８の発明の開閉箱は、上記第１〜第７のいずれか１つの発明において、１枚のブランク板の折り曲げにより形成されたものであることを特徴とする。
【００１６】
第９の発明の箱型包装食品は、上記第１〜第８のいずれか１つの発明に係る開閉箱の収容空間に、前記内容物として複数の個包装食品が収容されていることを特徴とする。
【発明の効果】
【００１７】
本発明によれば、フラップが穴に沿ったスライドにより穴の開閉を行う構成になっているため、低コストでありながら、内容物を取り出すための穴を簡単な操作で開閉することができる。
【図面の簡単な説明】
【００１８】
【図１】第１の実施の形態の開閉箱及び箱型包装食品を示す斜視図。
【図２】第１の実施の形態の開閉箱の開閉状態及び斜めスタンド状態を示す平面図。
【図３】第１の実施の形態において斜めスタンド状態にある箱型包装食品からの個包装食品の取り出しを示す側面図。
【図４】第１の実施の形態の開閉箱を示す展開図。
【図５】第２の実施の形態の開閉箱の開閉状態及び斜めスタンド状態を示す平面図。
【図６】第２の実施の形態において斜めスタンド状態にある箱型包装食品からの個包装食品の取り出しを示す側面図。
【図７】第２の実施の形態の開閉箱を示す展開図。
【図８】斜めスタンド状態を多段階に構成する場合の天面板のスリットとフラップの切り込みとの位置関係を示す平面図。
【発明を実施するための形態】
【００１９】
以下、本発明の実施の形態に係る開閉箱，箱型包装食品等を、図面を参照しつつ説明する。なお、各実施の形態や具体例等の相互で同一の部分や相当する部分には同一の符号を付して重複説明を適宜省略する。
【００２０】
図１の斜視図に、第１の実施の形態に係る開閉箱１０１からなる箱型包装食品２０１の外観を示す。また、図２の平面図に開閉箱１０１の開閉状態及び斜めスタンド状態を示し、図３の側面図に斜めスタンド状態にある箱型包装食品２０１から個包装食品Ｆを取り出している様子を示し、図４の展開図に開閉箱１０１を構成しているブランク板３０１を示す。第１の実施の形態を示す図２〜図４と同様に、図５の平面図に第２の実施の形態に係る開閉箱１０２の開閉状態及び斜めスタンド状態を示し、図６の側面図に斜めスタンド状態にある箱型包装食品２０２から個包装食品Ｆを取り出している様子を示し、図７の展開図に開閉箱１０２を構成しているブランク板３０２を示す。
【００２１】
これらの開閉箱１０１，１０２（図１〜図３；図５，図６）は、個包装食品Ｆを内容物として収容するための収容空間Ｓと、収容空間Ｓから個包装食品Ｆを取り出すための穴Ｈと、を有する箱であり、開閉箱１０１，１０２内の収容空間Ｓには、複数の個包装食品Ｆ（例えば、チョコレート菓子，キャンディー等の菓子類）が収容可能になっている。箱型包装食品２０１，２０２は、開閉箱１０１，１０２の収容空間Ｓに複数の個包装食品Ｆが収容されたものであり、その開封は販売後に家庭で行われる場合もあれば、個包装食品Ｆとして販売するために店頭で開封される場合もある。なお、開閉箱１０１，１０２は包装箱としての使用を想定したものであるが、他の用途での使用（例えば、抽選箱，くじ引き箱等としての使用）も可能である。
【００２２】
収容空間Ｓはブランク板３０１，３０２の折り曲げにより形成されており、穴Ｈはブランク板３０１，３０２のミシン目Ｍ１，Ｍ２（図４，図７）に沿った切断により形成されている。ブランク板３０１，３０２は、板状のシート材料を展開図（図４，図７）のように打ち抜くことにより形成されるが、ブランク板３０１，３０２の材質は特に限定されるものではない。例えば、厚紙（ボール紙等）や樹脂板（ポリエチレンテレフタレート，ポリプロピレン等の樹脂から成る透明な樹脂板）を、シート材料として用いることができる。なお、開閉箱１０１，１０２の内容物を容易に視認可能とする場合には、透明な樹脂板をシート材料として用いることが好ましい。
【００２３】
開閉箱１０１の組み立ては、以下のようにブランク板３０１（図４）を境界線に沿って略垂直に折り曲げること等によって行われる。まず、天面板１と側面板４，６との各境界線に沿ってブランク板３０１を折り曲げ、側面板６と底面板７との境界線に沿ってブランク板３０１を折り曲げる。そして、底面板７とフラップ１４との境界線に沿ってブランク板３０１を折り曲げて、そのフラップ１４を糊代として側面板４の内側に貼り付ける。
【００２４】
次に、側面板４とフラップ１２との境界線に沿ってブランク板３０１を折り曲げ、側面板６とフラップ１０との境界線に沿ってブランク板３０１を折り曲げ、側面板５とフラップ１１との境界線に沿ってブランク板３０１を折り曲げ、天面板１と側面板５との境界線に沿ってブランク板３０１を折り曲げる。フラップ１０，１２と底面板７との間にフラップ１１を差し込み、切り込み５ａにタブ７ａを差し込む。このとき、側面板５が下方に位置する向きに開閉箱１０１を配置すると、開閉箱１０１は上方に開口した状態になるので、その開口から収容空間Ｓ内に個包装食品Ｆを投入する。
【００２５】
側面板４と係合板１５との境界線に沿ってブランク板３０１を折り曲げ、側面板６と係合板１６との境界線に沿ってブランク板３０１を折り曲げ、係合板１５の切り込み１５ａに係合板１６の切り込み１６ａを差し込む。内面板８とフラップ１３との境界線に沿ってブランク板３０１を折り曲げ、天面板１と内面板８との境界線に沿ってブランク板３０１を折り曲げ、係合板１５，１６と底面板７との間にフラップ１３を差し込む。
【００２６】
側面板３とフラップ２との境界線に沿ってブランク板３０１を折り曲げ、底面板７と側面板３との境界線に沿ってブランク板３０１を折り曲げ、先端の係止部Ｋ１側からフラップ２を天面板１のスリットＳ１に差し込む。このとき、フラップ２はガイドＧ１で差し込み及びスライドがガイドされるとともに、収容空間Ｓ側への落ち込みが抑制された状態に支持される。
【００２７】
フラップ２と側面板３との境界線が天面板１と内面板８との境界線に到達するまで、係止部Ｋ１をスリットＳ１に差し込むと、開閉箱１０１は全体として略立方体形状を成すとともに、フラップ２の先端が図１中の二点鎖線の位置に到達する。ただし、天面板１には未だ穴Ｈが形成されていないため、天面板１とその下のフラップ２とが重なった状態で収容空間Ｓ上に位置することになる（図２（Ａ））。
【００２８】
天面板１の中央には（図４）、円形状で波形のミシン目Ｍ１と、互いに平行な２本の直線状でへの字形状のミシン目Ｍ２と、が形成されており、２本のミシン目Ｍ２間の中央には切り込みＭ０が形成されている。ミシン目Ｍ１内の領域はミシン目Ｍ２と切り込みＭ０とで４分割されており、その４つの領域が穴Ｈを塞いでおくための蓋１ｈを構成している。したがって、個包装食品Ｆが収容されている収容空間Ｓは密封された状態にあり、その密封状態で箱型包装食品２０１の保管，輸送等が行われる。
【００２９】
開閉箱１０１を開封する場合、ミシン目Ｍ１，Ｍ２に沿ってブランク板３０１を切断する。穴Ｈを形成するためのブランク板３０１の切断は、ミシン目Ｍ１，Ｍ２によってガイドされるため、ミシン目Ｍ１，Ｍ２に沿ってブランク板３０１を切断すると、穴Ｈが形成されて開閉箱１０１は開封状態となる。例えば、２本のミシン目Ｍ２の間の領域を切り取った後、残りの２つの略半円部分を切り取ることにより、ブランク板３０１から蓋１ｈを取り去ると、天面板１に穴Ｈが形成された状態となる（図１等）。蓋１ｈを切り取っても、穴Ｈは全体がフラップ２で覆われているため、シャッターとしてのフラップ２により開閉箱１０１は図２（Ａ）に示す閉状態となっている。
【００３０】
側面板３は、フラップ２の端部と連結するとともにその連結部分Ｌ１での折り曲げが可能となるように形成されており、底面板７は、側面板３の端部と連結するとともにその連結部分Ｌ２での折り曲げが可能となるように形成されている。したがって、開閉箱１０１を開状態とする場合には、側面板３に対するフラップ２及び底面板７の各連結状態（つまり、部材間の成す角度であって、ここではブランク板３０１の折り曲げ角度に相当する。）を変化させながら、図１中の白抜き矢印ｍ１の方向にフラップ２をスライドさせる。
【００３１】
フラップ２のスライドに伴って穴Ｈが開き、開閉箱１０１は図２（Ｃ）に示す穴Ｈの開状態となる。この開状態においては、フラップ２に形成されている係止部Ｋ１がスリットＳ１でガイドＧ１に係止されるため、スリットＳ１からのフラップ２の抜けが防止される。逆に、開閉箱１０１を閉状態とする場合には、側面板３に対するフラップ２及び底面板７の各連結状態を変化させながら、図１中の白抜き矢印ｍ１の逆方向にフラップ２をスライドさせる。フラップ２のスライドに伴って穴Ｈが閉じ、穴Ｈの全体がフラップ２で覆われて、開閉箱１０１は図２（Ａ）に示す穴Ｈの閉状態へと復帰する。
【００３２】
フラップ２には、図１及び図４に示すように、天面板１を係止するための切り込みＣ１が形成されている。図２（Ａ）に示す閉状態と図２（Ｃ）に示す開状態との間においても、穴Ｈが開状態となる範囲が存在しており、その開状態において、図２（Ｂ）に示すように、天面板１がスリットＳ１側の端部で切り込みＣ１に係止されることが可能となっている。フラップ２の切り込みＣ１に天面板１を係止させた状態で、側面板３が下方に位置する向きに開閉箱１０１を配置すると、開閉箱１０１は斜めスタンド状態になるので、図３に示すように、斜め上方に開口した穴Ｈから収容空間Ｓ内に手Ｔを入れて、個包装食品Ｆを取り出すことが可能となる。
【００３３】
上述した開閉箱１０１では１枚のフラップ２のみで穴Ｈの開閉動作を行う構成（片側フラップタイプ）になっているが、側面板３と対向する側面板５にもフラップを追加して開閉動作を行う構成（両側フラップタイプ）にすれば、フラップの小型化により穴Ｈの開閉をコンパクトに行うことができる。
【００３４】
両側フラップタイプの開閉箱１０２の組み立ては、以下のようにブランク板３０２（図７）を境界線に沿って略垂直に折り曲げること等によって行われる。まず、天面板１と側面板４，６との各境界線に沿ってブランク板３０２を折り曲げ、側面板４と底面板７との境界線に沿ってブランク板３０２を折り曲げる。そして、内面板９とガイドＧ０との境界線に沿ってブランク板３０２を折り曲げ、底面板７と内面板９との境界線に沿ってブランク板３０２を折り曲げて、その内面板９を糊代として側面板６の内側に貼り付ける。
【００３５】
次に、側面板６と係合板１７との境界線に沿ってブランク板３０２を折り曲げ、側面板４と係合板１８との境界線に沿ってブランク板３０２を折り曲げ、係合板１７の切り込み１７ａに係合板１８の切り込み１８ａを差し込む。側面板３とフラップ２Ａとの境界線に沿ってブランク板３０２を折り曲げ、底面板７と側面板３との境界線に沿ってブランク板３０２を折り曲げ、先端の係止部Ｋ１側からフラップ２Ａを天面板１のスリットＳ１に差し込む。このとき、フラップ２ＡはガイドＧ０，Ｇ１で差し込み及びスライドがガイドされるとともに、収容空間Ｓ側への落ち込みが抑制された状態に支持される。
【００３６】
フラップ２Ａと側面板３との境界線が天面板１と係合板１７，１８との境界線に到達するまで、係止部Ｋ１をスリットＳ１に差し込む。このとき、側面板３が下方に位置する向きに開閉箱１０２を配置すると、開閉箱１０２は上方に開口した状態になるので、その開口から収容空間Ｓ内に個包装食品Ｆを投入する。
【００３７】
側面板６と係合板１６との境界線に沿ってブランク板３０２を折り曲げ、側面板４と係合板１５との境界線に沿ってブランク板３０２を折り曲げ、係合板１６の切り込み１６ａに係合板１５の切り込み１５ａを差し込む。側面板５とフラップ２Ｂとの境界線に沿ってブランク板３０２を折り曲げ、底面板７と側面板５との境界線に沿ってブランク板３０２を折り曲げ、先端の係止部Ｋ２側からフラップ２Ｂを天面板１のスリットＳ２に差し込む。このとき、フラップ２ＢはガイドＧ０，Ｇ２で差し込み及びスライドがガイドされるとともに、収容空間Ｓ側への落ち込みが抑制された状態に支持される。
【００３８】
フラップ２Ｂと側面板５との境界線が天面板１と係合板１５，１６との境界線に到達するまで、係止部Ｋ２をスリットＳ２に差し込むと、開閉箱１０２は全体として略立方体形状を成すとともに、フラップ２Ａ，２Ｂの先端が重なり合った状態となる。ただし、天面板１には未だ穴Ｈが形成されていないため、天面板１とその下のフラップ２Ａ，２Ｂとが重なった状態で収容空間Ｓ上に位置することになる（図５（Ａ））。
【００３９】
天面板１の中央には（図７）、円形状で波形のミシン目Ｍ１と、互いに平行な２本の直線状でへの字形状のミシン目Ｍ２と、が形成されており、２本のミシン目Ｍ２間の中央には切り込みＭ０が形成されている。ミシン目Ｍ１内の領域はミシン目Ｍ２と切り込みＭ０とで４分割されており、その４つの領域が穴Ｈを塞いでおくための蓋１ｈを構成している。したがって、個包装食品Ｆが収容されている収容空間Ｓは密封された状態にあり、その密封状態で箱型包装食品２０２の保管，輸送等が行われる。
【００４０】
開閉箱１０２を開封する場合、ミシン目Ｍ１，Ｍ２に沿ってブランク板３０２を切断する。穴Ｈを形成するためのブランク板３０２の切断は、ミシン目Ｍ１，Ｍ２によってガイドされるため、ミシン目Ｍ１，Ｍ２に沿ってブランク板３０２を切断すると、穴Ｈが形成されて開閉箱１０２は開封状態となる。例えば、２本のミシン目Ｍ２の間の領域を切り取った後、残りの２つの略半円部分を切り取ることにより、ブランク板３０２から蓋１ｈを取り去ると、天面板１に穴Ｈが形成された状態となる。蓋１ｈを切り取っても、穴Ｈは全体がフラップ２Ａ，２Ｂで覆われているため、シャッターとしてのフラップ２Ａ，２Ｂにより開閉箱１０２は図５（Ａ）に示す閉状態となっている。
【００４１】
側面板３は、フラップ２Ａの端部と連結するとともにその連結部分Ｌ１Ａでの折り曲げが可能となるように形成されており、底面板７は、側面板３の端部と連結するとともにその連結部分Ｌ２Ａでの折り曲げが可能となるように形成されている。また、側面板５は、フラップ２Ｂの端部と連結するとともにその連結部分Ｌ１Ｂでの折り曲げが可能となるように形成されており、底面板７は、側面板５の端部と連結するとともにその連結部分Ｌ２Ｂでの折り曲げが可能となるように形成されている。したがって、開閉箱１０２を開状態とする場合には、側面板３，５に対するフラップ２Ａ，２Ｂ及び底面板７の各連結状態（つまり、部材間の成す角度であって、ここではブランク板３０２の折り曲げ角度に相当する。）を変化させながら、開閉箱１０１と同様、フラップ２Ａ，２Ｂをスライドさせる。
【００４２】
フラップ２Ａ，２Ｂのスライドは、タブＴＡ，ＴＢを持って行うことが好ましい。側面板３，５には、切り起こし可能なタブＴＡ，ＴＢがミシン目で形成されている（図７）。ミシン目に沿ってタブＴＡ，ＴＢを切り起こし、左右対称に位置するタブＴＡ，ＴＢを摘んでフラップ２Ａ，２Ｂをスライドさせることにより、穴Ｈの開閉を行うことができる。また、開閉箱１０２を閉状態とした場合には、タブＴＡ，ＴＢを切り起こした位置から側面板３，５の元の位置に復帰させることもできる。
【００４３】
フラップ２Ａ，２Ｂのスライドに伴って穴Ｈが開き、開閉箱１０２は図５（Ｃ）に示す穴Ｈの開状態となる。この開状態においては、フラップ２Ａ，２Ｂに形成されている係止部Ｋ１，Ｋ２がスリットＳ１，Ｓ２でガイドＧ１，Ｇ２にそれぞれ係止されるため、スリットＳ１，Ｓ２からのフラップ２Ａ，２Ｂの抜けが防止される。逆に、開閉箱１０２を閉状態とする場合には、側面板３，５に対するフラップ２Ａ，２Ｂ及び底面板７の各連結状態を変化させながら、開閉箱１０１と同様、フラップ２Ａ，２Ｂをスライドさせる。フラップ２Ａ，２Ｂのスライドに伴って穴Ｈが閉じ、穴Ｈの全体がフラップ２Ａ，２Ｂで覆われて、開閉箱１０２は図５（Ａ）に示す穴Ｈの閉状態へと復帰する。
【００４４】
フラップ２Ａ，２Ｂには、図７に示すように、天面板１を係止するための切り込みＣ１，Ｃ２が形成されている。図５（Ａ）に示す閉状態と図５（Ｃ）に示す開状態との間においても、穴Ｈが開状態となる範囲が存在しており、その開状態において、図５（Ｂ）に示すように、天面板１がスリットＳ１，Ｓ２側の端部で切り込みＣ１，Ｃ２に係止されることが可能となっている。フラップ２Ａ，２Ｂの切り込みＣ１，Ｃ２に天面板１を係止させた状態で、側面板３又は側面板５が下方に位置する向きに開閉箱１０２を配置すると、開閉箱１０２は斜めスタンド状態になるので、図６に示すように、斜め上方に開口した穴Ｈから収容空間Ｓ内に手Ｔを入れて、個包装食品Ｆを取り出すことが可能となる。
【００４５】
開閉箱１０１，１０２は、フラップ２，２Ａ，２Ｂを穴Ｈに沿ってスライドさせることにより穴Ｈの開閉を行う簡単な構成になっているため、低コストでありながら、個包装食品Ｆを取り出すための穴Ｈを簡単な操作で開閉することができる。また、開閉箱１０１，１０２は１枚のブランク板３０１，３０２の折り曲げにより形成されるため、組み立てが非常に簡単であるとともに更なる低コスト化にも寄与することができる。さらに、両側フラップタイプの開閉箱１０２では、穴Ｈを中心として左右対称にフラップ２Ａ，２Ｂをスライドさせることにより、穴Ｈの開閉を行うことができるため、フラップ２Ａ，２Ｂの小型化と、それによる開閉動作のコンパクト化と、が可能になる。
【００４６】
開閉箱１０１，１０２は、側面板３，５に対するフラップ２，２Ａ，２Ｂ及び底面板７の各連結状態を変化させながら、フラップ２，２Ａ，２Ｂをスライドさせることにより、穴Ｈの開閉を行う構成になっているため、フラップ２，２Ａ，２Ｂを情報表示のための表示スペース（例えば、販売促進用の宣伝・広告スペース，注意書きスペース等）として用いることができ、ＰＯＰ等の広告媒体を配置する必要が無くなる。フラップ２，２Ａ，２Ｂのスライドにより、天面板１や穴Ｈに対する情報表示位置や情報スペースの変化による情報表示の見え隠れ（例えば、フラップ２を開くと天面板１に隠れていた文字，図柄等の情報表示が表れること）によって、多様な情報表示を伴った開閉動作が可能となる。つまり、趣向を凝らした開閉が可能な開閉箱１０１，１０２及び箱型包装食品２０１，２０２を実現することができる。なお、情報表示の例としては、「ここから取って下さい。」等の注意書き表示、「１個○○円」，「○○円以上買うと１個もらえる。」等の宣伝広告表示等が挙げられる。
【００４７】
開閉箱１０１，１０２では、天面板１に形成されている蓋１ｈ（図４，図７）がミシン目Ｍ１，Ｍ２に沿った切断により切り取り可能となっており、蓋１ｈの切り取りにより穴Ｈが形成されて開封状態となる。したがって、蓋１ｈを切り取るまで収容空間Ｓを密封状態に保つことができ、その密封状態のまま箱型包装食品２０１，２０２の保管，輸送等を行うことによって一般流通に対応することができる。
【００４８】
開閉箱１０１，１０２では、穴Ｈの開状態において天面板１を係止するための切り込みＣ１，Ｃ２がフラップ２，２Ａ，２Ｂに形成されているため、フラップ２，２Ａ，２Ｂの切り込みＣ１，Ｃ２に天面板１を係止させることにより、開閉箱１０１，１０２を斜めスタンド状態（図３，図６）にすることができる。開閉箱１０１，１０２を斜めスタンド状態にすると、穴Ｈが斜め上方に向くため、子供でも手Ｔを穴Ｈに入れ易くなって個包装食品Ｆの取り出しが容易になるとともに、フラップ２，２Ａ，２Ｂによる情報表示も見易くなる。しかも、開閉箱１０１，１０２の開状態への移行と開閉箱１０１，１０２の斜めスタンド状態への移行とを、１つの操作で行うことができるというメリットもある。
【００４９】
天面板１を係止するための切り込みを、フラップ２，２Ａ，２Ｂに複数形成することにより、斜めスタンド状態を多段階に構成してもよい。つまり、天面板１の係止状態が複数段階に変化するように、切り込みを複数形成してもよい。図８に、斜めスタンド状態が多段階に構成された開閉箱１０１ａを示す。この開閉箱１０１ａは、フラップ２に３つの切り込みｃ１，ｃ２，ｃ３が形成されているほかは、開閉箱１０１と同様の構成になっている。
【００５０】
３つの切り込みｃ１，ｃ２，ｃ３のうちのどれに天面板１を係止させるかによって、天面板１の係止状態が３段階に変化し、天面板１のスリットＳ１とフラップ２の切り込みｃ１，ｃ２，ｃ３との位置関係の変化に伴って、穴Ｈの向きが変化するとともに、情報表示のための表示スペースも変化する。例えば、天面板１がスリットＳ１側の端部で切り込みｃ１に係止されると表示スペースはＤ１のみとなり、天面板１がスリットＳ１側の端部で切り込みｃ２に係止されると表示スペースはＤ１＋Ｄ２となり、天面板１がスリットＳ１側の端部で切り込みｃ３に係止されると表示スペースはＤ１＋Ｄ２＋Ｄ３となる。このように天面板１に隠れていた部分が変化することによって表示スペースが変化するため、多様な情報表示を伴った開閉動作が可能となる。
【００５１】
開閉箱１０１，１０２では、フラップ２，２Ａ，２ＢのスライドのためのガイドＧ１，Ｇ２を構成するスリットＳ１，Ｓ２が天面板１に形成されているため、天面板１の中央部分でのフラップ２，２Ａ，２Ｂの落ち込みを防止することができる。また、穴Ｈの開状態においてスリットＳ１，Ｓ２でガイドＧ１，Ｇ２に係止される係止部Ｋ１，Ｋ２がフラップ２，２Ａ，２Ｂに形成されているため、スリットＳ１，Ｓ２からのフラップ２，２Ａ，２Ｂの抜けを防止することができる。
【００５２】
以上の説明から分かるように、上述した実施の形態には以下の特徴的な構成（＃１）〜（＃８）等が含まれている。
【００５３】
（＃１）：内容物を収容するための収容空間がブランク板の折り曲げにより形成された箱であって、
前記収容空間から前記内容物を取り出すための穴が形成されるように、前記ブランク板の切断をガイドするミシン目が形成された天面板と、
前記穴に沿ったスライドにより前記穴の開閉を行うフラップと、
前記フラップの端部と連結するとともにその連結部分での折り曲げが可能となるように形成された側面板と、
前記側面板の端部と連結するとともにその連結部分での折り曲げが可能となるように形成された底面板と、を有し、
前記側面板に対する前記フラップ及び前記底面板の各連結状態を変化させながら、前記フラップがスライドすることにより、前記穴の開閉を行うことを特徴とする開閉箱。
【００５４】
（＃２）：内容物を収容するための収容空間と、前記収容空間から前記内容物を取り出すための穴と、を有する箱であって、
前記穴が形成された天面板と、
前記穴に沿ったスライドにより前記穴の開閉を行うフラップと、
前記フラップの端部と連結するとともにその連結部分での折り曲げが可能となるように形成された側面板と、
前記側面板の端部と連結するとともにその連結部分での折り曲げが可能となるように形成された底面板と、を有し、
前記側面板に対する前記フラップ及び前記底面板の各連結状態を変化させながら、前記フラップがスライドすることにより、前記穴の開閉を行うことを特徴とする開閉箱。
【００５５】
（＃３）：前記穴の開状態において前記天面板を係止するための切り込みが前記フラップに形成されていることを特徴とする（＃１）又は（＃２）記載の開閉箱。
【００５６】
（＃４）：前記天面板の係止状態が複数段階に変化するように、前記切り込みが複数形成されていることを特徴とする（＃３）記載の開閉箱。
【００５７】
（＃５）：前記フラップのスライドのためのガイドを構成するスリットが前記天面板に形成されていることを特徴とする（＃１）〜（＃４）のいずれか１項に記載の開閉箱。
【００５８】
（＃６）：前記穴の開状態において前記スリットで前記ガイドに係止される係止部が前記フラップに形成されていることを特徴とする（＃５）記載の開閉箱。
【００５９】
（＃７）：１枚のブランク板の折り曲げにより形成されたものであることを特徴とする（＃１）〜（＃６）のいずれか１項に記載の開閉箱。
【００６０】
（＃８）：（＃１）〜（＃７）のいずれか１項に記載の開閉箱の収容空間に、前記内容物として複数の個包装食品が収容されていることを特徴とするとする箱型包装食品。
【符号の説明】
【００６１】
１    天面板
１ｈ  蓋
２，２Ａ，２Ｂ    フラップ
３，４，５，６    側面板
５ａ    切り込み
７    底面板
７ａ    タブ
８，９    内面板
１０，１１，１２，１３，１４    フラップ
１５，１６，１７，１８    係合板
１５ａ，１６ａ，１７ａ，１８ａ    切り込み
１０１，１０２，１０１ａ    開閉箱
２０１，２０２    箱型包装食品
３０１，３０２    ブランク板
Ｓ１，Ｓ２    スリット
Ｇ０，Ｇ１，Ｇ２    ガイド
Ｃ１，Ｃ２，ｃ１，ｃ２，ｃ３    切り込み
Ｋ１，Ｋ２    係止部
Ｍ０    切り込み
Ｍ１，Ｍ２  ミシン目
Ｌ１，Ｌ２，Ｌ１Ａ，Ｌ１Ｂ，Ｌ２Ａ，Ｌ２Ｂ    連結部分
Ｄ１，Ｄ２，Ｄ３    表示領域
ＴＡ，ＴＢ  タブ
Ｔ    手
Ｈ    穴
Ｓ    収容空間
Ｆ    個包装食品（内容物）
【図１】
2020045142.tif 000003
【図２】
2020045142.tif 000004
【図３】
2020045142.tif 000005
【図４】
2020045142.tif 000006
【図５】
2020045142.tif 000007
【図６】
2020045142.tif 000008
【図７】
2020045142.tif 000009
【図８】
2020045142.tif 000010